(57)【要約】  マルチチャネル送信時においてＰＡＰＲを下げることが可能な送信装置を得ること。受信装置と通信システムを構成し、Ｍ個（Ｍは２以上の自然数）のチャネルからのデータを多重して前記受信装置へ送信する送信装置であって、それぞれが異なるチャネルからデータを入力し、入力したデータに対して指定されたタイミングオフセット値を挿入するタイミングオフセット部１０７−１〜１０７−Ｍと、タイミングオフセットされたＭ個のデータを多重し、多重信号を出力する多重部１０８と、前記タイミングオフセット部１０７−１〜１０７−Ｍごとに異なるタイミングオフセット値を算出し、それぞれのタイミングオフセット部１０７−１〜１０７−Ｍに対して、算出したタイミングオフセット値を出力するタイミングオフセット計算部１０９と、を備える。
2012049912.tif 000002
【特許請求の範囲】
【請求項１】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて既知の値に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、
を備えることを特徴とする送信装置。
【請求項２】
前記タイミングオフセット計算手段は、チャネル数に基づいて、タイミングオフセット値を算出する、
ことを特徴とする請求項１に記載の送信装置。
【請求項３】
前記タイミングオフセット計算手段は、各データに含まれるシンボル数に基づいて、タイミングオフセット値を算出する、
ことを特徴とする請求項１に記載の送信装置。
【請求項４】
さらに、
各タイミングオフセット手段に入力前のデータに対してフィルタ処理を行う送信フィルタ手段、をＭ個備え、
前記タイミングオフセット計算手段は、前記送信フィルタ手段におけるフィルタのパラメタに基づいて、タイミングオフセット値を算出する、
ことを特徴とする請求項１に記載の送信装置。
【請求項５】
さらに、
前記多重手段から出力された多重信号のＰＡＰＲ値（ピーク対平均電力比）を測定し、当該ＰＡＰＲ値を前記タイミングオフセット計算手段へ出力するＰＡＰＲ測定手段、
を備え、
前記タイミングオフセット計算手段は、さらに、ＰＡＰＲ値を入力し、当該ＰＡＰＲ値が低下するように、各タイミングオフセット手段に対するタイミングオフセット値を算出する、
ことを特徴とする請求項１〜４のいずれか１つに記載の送信装置。
【請求項６】
前記タイミングオフセット計算手段は、算出したタイミングオフセット値を前記ＰＡＰＲ測定手段へ出力し、
前記ＰＡＰＲ測定手段は、取得したタイミングオフセット値を、前記受信装置へ出力する、
ことを特徴とする請求項５に記載の送信装置。
【請求項７】
送信装置と通信システムを構成し、前記送信装置からＭ個（Ｍは２以上の自然数）のチャネルのデータが多重された多重信号を受信する受信装置であって、
前記多重信号から、指定されたタイミングオフセット値を除去する同期手段と、
前記タイミングオフセット値が除去された多重信号を、チャネルごとのＭ個のデータに分離する分離手段と、
前記通信システムにおいて既知の値に基づいて、前記タイミングオフセット値を算出し、前記同期手段へ出力する制御手段と、
を備えることを特徴とする受信装置。
【請求項８】
前記制御手段は、チャネル数に基づいて、タイミングオフセット値を算出する、
ことを特徴とする請求項７に記載の受信装置。
【請求項９】
前記制御手段は、各データに含まれるシンボル数に基づいて、タイミングオフセット値を算出する、
ことを特徴とする請求項７に記載の受信装置。
【請求項１０】
前記送信装置が送信フィルタ手段を備える場合に、
前記制御手段は、前記送信フィルタ手段におけるフィルタのパラメタに基づいて、タイミングオフセット値を算出する、
ことを特徴とする請求項７に記載の受信装置。
【請求項１１】
前記制御手段は、前記送信装置から取得したタイミングオフセット値を、前記同期手段へ出力する、
ことを特徴とする請求項７に記載の受信装置。
【請求項１２】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対して指定された位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて既知の値に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１３】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対して指定された位相回転量を付加するＭ個の位相回転手段と、
それぞれが異なる位相回転手段からデータを入力し、入力したデータに対して逆フーリエ変換処理を行うＭ個の逆フーリエ変換手段と、
逆フーリエ変換後のＭ個のデータを多重し、多重信号を出力する多重手段と、
前記多重信号をパラレルデータからシリアルデータに変換するシリアル変換手段と、
前記通信システムにおいて既知の値に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１４】
前記位相回転演算手段は、チャネル数に基づいて、位相回転量を算出する、
ことを特徴とする請求項１２または１３に記載の送信装置。
【請求項１５】
前記位相回転演算手段は、各データに含まれるシンボル数に基づいて、位相回転量を算出する、
ことを特徴とする請求項１２または１３に記載の送信装置。
【請求項１６】
さらに、
各フーリエ変換手段の後段に、各位相回転手段へ入力前のデータに対してフィルタ処理を行う送信フィルタ手段、をＭ個備え、
前記Ｍ個の位相回転手段は、それぞれが異なる送信フィルタ手段からデータを入力する場合に、
前記位相回転演算手段は、前記送信フィルタ手段におけるフィルタのパラメタに基づいて、位相回転量を算出する、
ことを特徴とする請求項１２または１３に記載の送信装置。
【請求項１７】
さらに、
前記シリアル変換手段から出力された多重信号のＰＡＰＲ値（ピーク対平均電力比）を測定し、当該ＰＡＰＲ値を前記位相回転演算手段へ出力するＰＡＰＲ測定手段、
を備え、
前記位相回転演算手段は、さらに、ＰＡＰＲ値を入力し、当該ＰＡＰＲ値が低下するように、各位相回転手段に対する位相回転量を算出する、
ことを特徴とする請求項１２または１３に記載の送信装置。
【請求項１８】
前記位相回転演算手段は、算出した位相回転量を前記ＰＡＰＲ測定手段へ出力し、
前記ＰＡＰＲ測定手段は、取得した位相回転量を、前記受信装置へ出力する、
ことを特徴とする請求項１７に記載の送信装置。
【請求項１９】
送信装置と通信システムを構成し、前記送信装置からＭ個（Ｍは２以上の自然数）のチャネルのデータが多重された多重信号を受信する受信装置であって、
前記多重信号をチャネルごとのＭ個のデータに分離する分離手段と、
それぞれが異なる分離後のデータを入力し、指定された位相回転量を除去するＭ個の位相逆回転手段と、
前記通信システムにおいて既知の値に基づいて、前記位相回転量を算出し、それぞれの位相逆回転手段に対して、算出した位相回転量を出力する制御手段と、
を備えることを特徴とする受信装置。
【請求項２０】
前記制御手段は、チャネル数に基づいて、位相回転量を算出する、
ことを特徴とする請求項１９に記載の受信装置。
【請求項２１】
前記制御手段は、各データに含まれるシンボル数に基づいて、位相回転量を算出する、
ことを特徴とする請求項１９に記載の受信装置。
【請求項２２】
前記送信装置が送信フィルタ手段を備える場合に、
前記制御手段は、前記送信フィルタ手段におけるフィルタのパラメタに基づいて、位相回転量を算出する、
ことを特徴とする請求項１９に記載の受信装置。
【請求項２３】
前記制御手段は、前記送信装置から取得した位相回転量を、それぞれの位相逆回転手段に対して出力する、
ことを特徴とする請求項１９に記載の受信装置。
【請求項２４】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号から、指定されたタイミングオフセット値を除去する同期手段と、
前記タイミングオフセット値が除去された多重信号を、チャネルごとのＭ個のデータに分離する分離手段と、
それぞれが異なる分離後のデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて既知の値に基づいて、前記Ｍ個のタイミングオフセット手段ごとに異なるタイミングオフセット値を算出し、それぞれのタイミングオフセット手段に対して算出したタイミングオフセット値を出力し、さらに、前記同期手段に対して前記タイミングオフセット値を出力するタイミングオフセット計算手段と、
を備えることを特徴とする中継装置。
【請求項２５】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号をチャネルごとのＭ個のデータに分離する分離手段と、
それぞれが異なる分離後のデータを入力し、指定された位相回転量を除去するＭ個の位相逆回転手段と、
それぞれが異なる位相逆回転手段からデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対して指定された位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて既知の値に基づいて、前記Ｍ個の位相回転手段ごとに異なる位相回転量を算出し、それぞれの位相回転手段に対して算出した位相回転量を出力し、さらに、それぞれの位相逆回転手段に対して算出した位相回転量を出力する位相回転演算手段と、
を備えることを特徴とする中継装置。
【発明の詳細な説明】
【技術分野】
【０００１】
本発明は、マルチチャネル送信を行う送信装置に関する。
【背景技術】
【０００２】
従来、デジタル通信システムでは、送信信号が建物などに反射して起こるマルチパスフェージングや、端末の移動によって起こるドップラ変動によって、伝送路の周波数選択性と時間変動が発生する。このようなマルチパス環境では、受信信号は、送信シンボルと遅延時間が経って届く遅延シンボルとが干渉した信号となる。【０００３】
周波数選択性のある伝送路において最良の受信特性を得る方法として、シングルキャリア送信方式が近年注目を集めている。また、伝送データの大容量化のため、シングルキャリアを用いたマルチチャネル送信の必要性が高まっている。マルチチャネル送信とは、数チャネル、または数本の異なるデータ系列を同時に送る技術である。例えば、チャネル数をＭとした場合、Ｍユーザ分のデータ、またはＭ種類（音声・画像・動画等）のデータを同時に送信する。このように、マルチチャネル送信の手法を用いることで、多数のユーザへの同時送信、または多様のサービスを同時に提供することが可能となる。【０００４】
ここで、複数の信号を多重したマルチチャネル送信では、ＰＡＰＲ（ピーク対平均電力比：Peak  to  Average  Power  Ratio）が高くなる、という問題がある。一般的な通信において、例えば、下記特許文献１では、シングルキャリア向け通信システムにおけるピーク電力を抑制する技術が開示されている。また、下記特許文献２では、マルチチャネル送信とは異なる他の通信システムにおいて、信号毎の位相を変え、ピーク電力を抑圧する技術が開示されている。また、下記特許文献３では、ＭＩＭＯ（Multiple  Input  Multiple  Output）通信システムにおいて、送信ピーク電力を抑圧するプリコーダを選ぶ技術が開示されている。
【先行技術文献】
【特許文献】
【０００５】
【特許文献１】特開２００８−７８９４４号公報
【特許文献２】国際公開第２００７／００７６７３号
【特許文献３】特開２００９−１８２６４９号公報
【発明の概要】
【発明が解決しようとする課題】
【０００６】
しかしながら、上記従来の技術によれば、マルチチャネル信号を送信する場合にピーク抑圧を行うことができない。そのため、マルチチャネル信号送信時のＰＡＰＲを下げることができない、という問題があった。【０００７】
本発明は、上記に鑑みてなされたものであって、マルチチャネル送信時においてＰＡＰＲを下げることが可能な送信装置を得ることを目的とする。
【課題を解決するための手段】
【０００８】
上述した課題を解決し、目的を達成するために、本発明は、受信装置と通信システムを構成し、Ｍ個（Ｍは２以上の自然数）のチャネルからのデータを多重して前記受信装置へ送信する送信装置であって、それぞれが異なるチャネルからデータを入力し、入力したデータに対して指定されたタイミングオフセット値を挿入するＭ個のタイミングオフセット手段と、タイミングオフセットされたＭ個のデータを多重し、多重信号を出力する多重手段と、前記通信システムにおいて既知の値に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、を備えることを特徴とする。
【発明の効果】
【０００９】
本発明によれば、マルチチャネル送信時においてＰＡＰＲを下げることができる、という効果を奏する。
【図面の簡単な説明】
【００１０】
【図１】図１は、マルチパス環境を示す図である。
【図２】図２は、多重送信の例を示す図である。
【図３】図３は、送信装置の構成例を示す図である。
【図４】図４は、ＺＰの実施例を示す図である。
【図５】図５は、ＣＰの実施例を示す図である。
【図６】図６は、送信信号生成部の構成例を示す図である。
【図７】図７は、タイミングオフセット挿入例を示す図である。
【図８】図８は、ＱＰＳＫ信号のアイパターンを示す図である。
【図９】図９は、送信信号生成部の構成例を示す図である。
【図１０】図１０は、受信装置の構成例を示す図である。
【図１１】図１１は、送信信号生成部の構成例を示す図である。
【図１２】図１２は、位相回転部の構成例を示す図である。
【図１３】図１３は、各チャネル信号の周波数配置の例を示す図である。
【図１４】図１４は、ＤＦＴ部への入力値と出力値の関係を示す図である。
【図１５】図１５は、送信信号生成部の構成例を示す図である。
【図１６】図１６は、送信信号生成部の構成例を示す図である。
【図１７】図１７は、受信装置の構成例を示す図である。
【図１８】図１８は、周波数分割処理を示す図である。
【図１９】図１９は、中継装置の構成例を示す図である。
【発明を実施するための形態】
【００１１】
以下に、本発明にかかる送信装置の実施の形態を図面に基づいて詳細に説明する。なお、この実施の形態によりこの発明が限定されるものではない。
【００１２】
実施の形態１．
まず、本実施の形態における送信装置、および受信装置によって構成される通信システムが使用される環境について簡単に説明する。図１は、通信システムが配置されているマルチパス環境を示す図である。マルチパス環境において送信装置が信号を送信すると、受信装置では、送信装置からの直接波と反射物から反射された干渉波とが合波した熱雑音として受信することになる。
【００１３】
このような場合に、最良の受信特性を得るためのシングルキャリア送信方式があるが、伝送データの大容量化のために、シングルキャリアを用いたマルチチャネル送信方式がある。図２は、マルチチャネル送信における多重送信の例を示す図である。図２に示すように、チャネル数をＭ（Ｍは２以上の自然数）とした場合、Ｍ種類（音声・画像・動画等）のデータ、またはＭユーザ分のデータを多重部において多重し、多重データとして同時に送信する。本実施の形態では、データを多重した多重データ（多重信号）を送信する場合において、ＰＡＰＲを下げることが可能な送信装置について説明する。
【００１４】
図３は、送信装置の構成例を示す図である。送信装置は、マルチチャネルデータ生成部１００と、送信信号生成部１０１と、ＣＰ／ＺＰ（Cyclic  Prefix／Zero  Padding）付加部１０２と、ＤＡＣ（Digital  to  Analogue  Converter）部１０３と、ＲＦ（Radio  Frequency）部１０４と、送信アンテナ１０５と、を備える。
【００１５】
マルチチャネルデータ生成部１００は、送信対象となる複数のデータを生成する。送信信号生成部１０１は、マルチチャネルデータ生成部１００で生成された複数のデータを入力し、ＰＡＰＲを下げる処理を行った後、データを多重した多重信号（送信信号）を出力する。ＣＰ／ＺＰ付加部１０２は、送信信号に対して、必要に応じて、ＣＰ（Cyclic  Prefix）、またはゼロ挿入（ＺＰ：Zero  Padding）を付加する。ＤＡＣ部１０３は、送信信号を、デジタル信号からアナログ信号に変換する。ＲＦ部１０４は、アナログ信号に変換された送信信号をアップコンバートする。送信アンテナ１０５は、アップコンバート後の送信信号を受信装置に向けて送信する。
【００１６】
つづいて、送信装置の動作について説明する。送信装置では、まず、マルチチャネルデータ生成部１００が、送信すべき複数のデータを生成する。マルチチャネルデータ生成部１００は、生成した各データを、異なるチャネルから送信信号生成部１０１へ出力する。そして、送信信号生成部１０１が、マルチチャネルデータ生成部１００が生成した複数のデータに対して、ＰＡＰＲを下げる処理を行い、データを多重して送信信号を生成する。ＰＡＰＲを下げる処理の詳細については後述する。
【００１７】
マルチチャネルデータ生成部１００では、従来から使われているデータ生成手法を用いることができる。また、どの様な信号点やマッピング手法を利用してもよい。一般的に、変調方式は、ＰＳＫ（Phase  Shift  Keying）やＱＡＭ（Quadrature  Amplitude  Modulation）等が用いられる。
【００１８】
また、誤り符号などを用いた符号化されたデータや「R.  Prasad  et  al,  ”An  overview  of  CDMA  evolution  toward  wideband  CDMA”,  IEEE  Commun.  Surveys  &  Tutorials,  vol  .1,  no.  1,  Fourth  Quarter  1998,  pp.  2-29.］の文献で開示されているＣＤＭＡ（Code  Division  Multiple  Access）のような拡散符号化されたデータを利用することも可能である。
【００１９】
つぎに、ＣＰ／ＺＰ付加部１０２が、送信信号に対して、必要に応じてＣＰまたはゼロ挿入を付加する。図４は、ＺＰの実施例を示す図である。また、図５は、ＣＰの実施例を示す図である。ＺＰは、データの初めまたは終わりにゼロを挿入する手法である。また、ＣＰは、データの初め（終わり）の数シンボルをコピーし、データの終わり（初め）に持ってくる手法である。ＣＰやＺＰは、一般的に、マルチパスフェージング伝送路において、受信特性を劣化させないために行う処理である。そのため、受信特性の劣化の可能性が無ければ、行う必要はない。ここに示すＣＰやＺＰは、従来同等の処理でよい。
【００２０】
ＤＡＣ部１０３は、ＣＰ／ＺＰ付加部１０２から入力した信号を、デジタル信号からアナログ信号に変換する。そして、ＲＦ部１０４が、デジタル信号をアップコンバートして、送信アンテナ１０５から送信信号の送信を行う。いずれも従来同等の処理である。
【００２１】
つぎに、送信信号生成部１０１において、ＰＡＰＲを下げる処理を行い、データを多重して出力する処理について説明する。図６は、送信信号生成部１０１の構成例を示す図である。送信信号生成部１０１は、送信フィルタ処理部１０６−１〜１０６−Ｍと、タイミングオフセット部１０７−１〜１０７−Ｍと、多重部１０８と、タイミングオフセット計算部１０９と、を備える。ここでは、一例として、マルチチャネルデータ生成部１００がＭ個（Ｍは２以上の自然数）のデータを生成し、Ｍ個のチャネルから出力した場合について説明する。
【００２２】
送信フィルタ処理部１０６−１〜１０６−Ｍは、それぞれが、マルチチャネルデータ生成部１００から入力した１つのデータに対してフィルタ処理を行う。タイミングオフセット部１０７−１〜１０７−Ｍは、フィルタ処理後のデータに対して、タイミングオフセット計算部１０９から入力したタイミングオフセット値を挿入する。多重部１０８は、タイミングオフセット後のＭ個の信号を多重して出力する。タイミングオフセット計算部１０９は、チャネル数の情報に基づいて、各タイミングオフセット部１０７−１〜１０７−Ｍがタイミングオフセットすべき値を算出し、出力する。
【００２３】
つづいて、送信信号生成部１０１の動作について説明する。まず、送信フィルタ処理部１０６−１〜１０６−Ｍが、各チャネルからチャネルデータを入力し、フィルタ処理を行って、データを出力する。フィルタ処理は、従来からの一般的な処理でよい。
【００２４】
タイミングオフセット部１０７−１〜１０７−Ｍは、フィルタ処理後のデータにタイミングオフセット値を挿入する。本実施の形態では、直接時間領域においてタイミングオフセット値を挿入する手法を用いる。図７は、タイミングオフセット挿入例を示す図である。チャネルごとに、異なるタイミングオフセット値を挿入する。なお、図７に示すように、複数（Ｍ個）あるデータのうち、１つのデータについてはタイミングオフセットを挿入しなくてもよい。
【００２５】
なお、時間領域において、タイミングオフセット部１０７−１〜１０７−Ｍがタイミングオフセット値を挿入した場合、ずらした部分においてＣＰやＺＰを付加することは可能であるが、受信特性や復調特性において劣化の可能性がなければ付加の必要はない。
【００２６】
多重部１０８は、タイミングオフセット値が挿入されたデータを多重し、１つの多重信号（送信信号）として後段のＣＰ／ＺＰ付加部１０２へ出力する。
【００２７】
ここで、各データに異なるタイミングオフセット値を挿入することによって、多重信号のＰＡＰＲを低下できる原理について説明する。一例として、図８に、ＱＰＳＫ（Quadrature  Phase  Shift  Keying）信号のアイパターンを示す。図８から理解できるように、シングルキャリア信号では、電力のピーク発生箇所は、時間領域においてシンボル時間との間で発生し易い。すなわち、シングルキャリア信号を多重した場合、お互いのピーク発生箇所が同じであることから、ピーク発生箇所が重なり、出力信号のピーク電力がさらに増加してしまう。
【００２８】
そのため、送信信号生成部１０１では、ピーク電力発生箇所をずらしてＰＡＰＲを低下させるために、各チャネルのデータに対して異なるタイミングオフセット値を挿入し、ピーク発生箇所の重なりを回避する。
【００２９】
例えば、２チャネル送信の場合では、２チャネル目の信号を０．５タイミングオフセットずらして送信する。また、４チャネル送信の場合では、２チャネル目の信号を０．２５タイミングオフセットずらし、３チャネル目の信号を０．５タイミングオフセットずらし、４チャネル目の信号を０．７５タイミングオフセットずらす。
【００３０】
タイミングオフセット計算部１０９は、このように、各チャネルのタイミングをずらすタイミングオフセット値を算出し、各タイミングオフセット部１０７−１〜１０７−Ｍに出力する。そして、各タイミングオフセット部１０７−１〜１０７−Ｍが、各データに対して受け取ったタイミングオフセット値を挿入することによって、多重後の信号のＰＡＰＲを低下させることができる。
【００３１】
なお、タイミングオフセット値は自由に決めてもよい。図６に示す送信信号生成部１０１では、タイミングオフセット計算部１０９への入力値をチャネル数（Ｍ）としているが、これに限定するものではない。例えば、タイミングオフセット値を、送信フィルタのパラメタや、図示しないオーバサンプリング処理におけるオーバサンプル数、各データに含まれるシンボル数に適した値に設定してもよい。
【００３２】
このとき、タイミングオフセット計算部１０９は、チャネル数、送信フィルタのパラメタ、オーバサンプル数、シンボル数等、送信装置および受信装置で構成される通信システムによって設定された既知のパラメタに基づいて送信タイミングずれ値（タイミングオフセット値）を算出する。これにより、受信装置では、事前に通信システムにおける上記パラメタをメモリに保存しておくことができる。送信装置側では、タイミングオフセットを行うごとにタイミングオフセット値の情報を通達する必要がないため、無線帯域の消費を低減しつつ、ＰＡＰＲを低減することができる。
【００３３】
以上説明したように、本実施の形態では、送信装置において、タイミングオフセット計算部１０９が、通信システムにおいて既知のパラメタに基づいて、複数のチャネルに対して異なる大きさのタイミングオフセット値を算出し、各タイミングオフセット部１０７−１〜１０７−Ｍが、各チャネルデータに対してタイミングオフセット値を挿入し、多重部１０８が、タイミングオフセット値挿入後の信号を多重して送信信号を生成することとした。これにより、マルチチャネル送信の送信信号においてピーク電力発生箇所をずらすことができるため、タイミングオフセット値を挿入しない場合と比較して、送信信号のＰＡＰＲを低減することができる。
【００３４】
実施の形態２．
本実施の形態では、現在のタイミングオフセット値における送信信号のＰＡＰＲ値を測定し、ＰＡＰＲ値の情報を用いてタイミングオフセット値を算出する。実施の形態１と異なる部分について説明する。
【００３５】
図９は、送信信号生成部１０１の構成例を示す図である。送信信号生成部１０１は、送信フィルタ処理部１０６−１〜１０６−Ｍと、タイミングオフセット部１０７−１〜１０７−Ｍと、多重部１０８と、ＰＡＰＲ測定制御部１１０と、タイミングオフセット計算部１１１と、を備える。
【００３６】
ＰＡＰＲ測定制御部１１０は、多重された送信信号のＰＡＰＲ値を測定し、タイミングオフセット計算部１１１へ通知する。タイミングオフセット計算部１１１は、チャネル数およびＰＡＰＲ値の情報に基づいて、各タイミングオフセット部１０７−１〜１０７−Ｍに対するタイミングオフセット値を計算し、出力する。
【００３７】
本実施の形態では、ＰＡＰＲ測定制御部１１０が、送信信号のＰＡＰＲ値を測定し、ＰＡＰＲ値をタイミングオフセット計算部１１１へ通知する。タイミングオフセット計算部１１１は、チャネル数とＰＡＰＲ値に基づいて、ＰＡＰＲ値が最小となるタイミングオフセット値を算出する。
【００３８】
ここでは、タイミングオフセット値が、データに依存する場合がある。そのため、ＰＡＰＲ測定制御部１１０は、タイミングオフセット値（τk：０≦ｋ≦Ｍ−１）の情報をタイミングオフセット計算部１１１から取得し、送信信号と共に、タイミングオフセット値の情報も受信装置へ送信する。タイミングオフセット値の情報の送信方法について制限は無く、送信信号とは異なる別のチャネルまたはフレームを用いて送信することが可能である。
【００３９】
なお、タイミングオフセットだけではなく、時間領域において、各チャネル信号に出力信号のＰＡＰＲ値が最小となるような位相回転を加えることも可能である。また、実施の形態１と同様、チャネル数に限定せず、送信フィルタのパラメタやオーバサンプル数等の情報を使用することも可能である。
【００４０】
以上説明したように、本実施の形態では、タイミングオフセット計算部１１１が、さらに、現在のＰＡＰＲ値の情報を取得し、当該ＰＡＰＲ値が最小となるように各タイミングオフセット部１０７−１〜１０７−Ｍに対するタイミングオフセット値を計算することとした。これにより、ＰＡＰＲ値が高くなった場合に、即時にＰＡＰＲ値を低減させることができる。
【００４１】
実施の形態３．
本実施の形態では、実施の形態１、２の送信装置と通信システムを構成する受信装置について説明する。
【００４２】
図１０は、受信装置の構成例を示す図である。受信装置は、ＣＰ／ＺＰ除去部２００と、チャネル推定等化部２０１と、同期部２０２と、分離部２０３と、受信フィルタ処理部２０４−１〜２０４−Ｍと、復調部２０５−１〜２０５−Ｍと、制御部２０６と、を備える。
【００４３】
ＣＰ／ＺＰ除去部２００は、受信信号から、送信装置で付加されたＣＰやＺＰを除去する。付加されたＣＰやＺＰの情報は、送信装置と構成する通信システムにおいて既知の情報とする。チャネル推定等化部２０１は、受信信号に対して、チャネル推定、および等化処理を行う。同期部２０２は、制御部２０６から取得したタイミングオフセット値の情報に基づいて、各チャネルに挿入されたタイミングオフセット値を除去し、各チャネルデータの同期を取る。分離部２０３は、受信信号をＭ個の信号に分離する。受信フィルタ処理部２０４−１〜２０４−Ｍは、分離後の各信号に対してフィルタ処理を行う。復調部２０５−１〜２０５−Ｍは、各信号を復調する。制御部２０６は、送信装置と構成するデジタル通信システムにおいて既知の情報であるチャネル数の情報に基づいて、タイミングオフセット値を算出し、同期部２０２へ出力する。
【００４４】
つづいて、受信装置の動作について説明する。まず、ＣＰ／ＺＰ除去部２００が、受信信号からＣＰやＺＰを除去し、チャネル推定等化部２０１が、チャネル推定および等化処理を行う。そして、同期部２０２が、各チャネルのタイミングオフセット値を除去する。
【００４５】
同期部２０２で用いる解除用のタイミングオフセット値は、制御部２０６が算出し、出力する。図１０において、制御部２０６は、チャネル数に基づいて、送信装置と同一の計算方法でタイミングオフセット値を算出するが、これに限定するものではなく、実施の形態１、２で説明したように、送信装置において他の既知のパラメタ（送信フィルタのパラメタやオーバサンプル数、シンボル数等）を用いた場合には、同種のパラメタを用いてタイミングオフセット値を算出する。どのパラメタを使用するかは、通信システムであらかじめ設定する。これにより、受信装置では、通信システムに依存するパラメタを図示しないメモリに記憶して参照することにより、信号を受信するごとに、送信装置からパラメタの情報を取得する必要がない。
【００４６】
なお、実施の形態２の場合のように、送信装置が現在のＰＡＰＲ値に基づいて適宜タイミングオフセット値を変更するような場合には、制御部２０６は、その都度、送信装置からタイミングオフセット値を受信し、出力することも可能である。実際のタイミングオフセット値に基づくことで、高い精度で同期を取ることができる。
【００４７】
受信装置では、同期後、分離部２０３が、受信信号をそれぞれのチャネル信号に分離し、受信フィルタ処理部２０４−１〜２０４−Ｍが、分離後の受信信号に対して受信フィルタ処理を行い、復調部２０５−１〜２０５−Ｍにおいて復調し、各チャネルデータを得る。復調方式は、送信装置において用いた誤り訂正符号、拡散符号や変調方式に応じて、適切な復調方式を用いる。
【００４８】
以上説明したように、本実施の形態では、受信装置において、制御部２０６が、送信装置と同じ情報に基づいてタイミングオフセット値を算出し、同期部２０２が、受信信号から当該タイミングオフセット値を除去して同期を取ることとした。これにより、受信装置では、チャネルごとに挿入された異なるタイミングオフセット値を除去することができ、送信装置で生成されたデータを得ることができる。
【００４９】
実施の形態４．
実施の形態１、２では、時間領域においてタイミングオフセットを挿入した。本実施の形態では、周波数領域で各チャネル信号に位相回転を与えることで、時間領域において各チャネル信号にタイミングオフセットを加える。
【００５０】
一例として、ＳＣ−ＦＤＭＡ（Single  Carrier−Frequency  Division  Multiple  Access）信号を対象とする。ＳＣ−ＦＤＭＡ信号のピーク電力は低く、一般的に用いられる技術である。また、ここでは、Ｍ個（チャネル）のＳＣ−ＦＤＭＡ信号が多重された場合を想定する。
【００５１】
図１１は、送信信号生成部１０１の構成例を示す図である。送信信号生成部１０１は、Ｓ／Ｐ（Serial／Parallel）部１１２−１〜１１２−Ｍと、ＤＦＴ（Discrete  Fourier  Transform）部１１３−１〜１１３−Ｍと、送信フィルタ処理部１１４−１〜１１４−Ｍと、位相回転部１１５−１〜１１５−Ｍと、周波数配置オーバサンプラ部１１６と、ＩＤＦＴ（Inverse  Discrete  Fourier  Transform）部１１７と、Ｐ／Ｓ（Parallel／Serial）部１１８と、位相回転演算部１１９と、を備える。
【００５２】
Ｓ／Ｐ部１１２−１〜１１２−Ｍは、入力した各チャネルデータをシリアルデータからパラレルデータに変換する。ＤＦＴ部１１３−１〜１１３−Ｍは、パラレル化されたデータに対して離散フーリエ変換処理を行う。送信フィルタ処理部１１４−１〜１１４−Ｍは、離散フーリエ変換後の信号に対してフィルタ処理を行う。位相回転部１１５−１〜１１５−Ｍは、位相回転演算部１１９で算出された位相回転量をフィルタ処理後の信号に与える。周波数配置オーバサンプラ部１１６は、各チャネル信号を適切な周波数に配置し、オーバサンプリングを行う。ＩＤＦＴ部１１７は、オーバサンプリング後の信号に対して逆離散フーリエ変換処理を行う。Ｐ／Ｓ部１１８は、逆離散フーリエ変換後の信号をパラレルデータからシリアルデータに変換する。位相回転演算部１１９は、チャネル数に基づいて、各チャネルに対する位相回転量を算出する。
【００５３】
つづいて、本実施の形態における送信信号生成部１０１の動作について説明する。まず、Ｓ／Ｐ部１１２−１〜１１２−Ｍが、各チャネルからチャネルデータを入力し、シリアル／パラレル変換し、パラレル化したデータを出力する。マルチチャネルデータ生成部１００によって生成されたチャネルデータは、デジタル変調されたＮk個（１≦ｋ≦Ｍ）の信号である。実施の形態１と同様、変調方式は、一般的にＰＳＫやＱＡＭ等が用いられる。なお、Ｎkは、ｋによって異なる値でもよいし、同じ値（Ｎ1＝Ｎ2＝…＝ＮM＝Ｎ）でもよい。また、誤り符号などを用いて符号化されたデータや、ＣＤＭＡのような拡散符号化されたデータを利用してもよい。
【００５４】
ＤＦＴ部１１３−１〜１１３−Ｍは、各Ｓ／Ｐ部１１２−１〜１１２−Ｍでパラレル化されたデータに対して、離散フーリエ変換処理を行う。なお、Ｎkが２のべき乗の場合、演算量が少ないＦＦＴ（Fast  Fourier  Transform）処理を行ってもよい。
【００５５】
送信フィルタ処理部１１４−１〜１１４−Ｍは、フーリエ変換された信号に対してフィルタ処理を行う。ここで使用する送信フィルタは、一般的なＲＮＦ（root  Nyquist  filter）やＮＦ（Nyquist  filter）を用いてよい。ＲＮＦやＮＦを用いた場合、ロールオフ率αがパラメタとなるが、どの様な値をロールオフ率として用いてもよい。ここで、α＞０の場合、送信フィルタ処理部１１４−１〜１１４−Ｍからの出力信号の長さは（１＋α）Ｎkとなる。（１＋α）Ｎkが整数で無い場合、一般的には一番近い整数に繰り上げ、または繰り下げを行う処理を施す。
【００５６】
位相回転部１１５−１〜１１５−Ｍは、それぞれのチャネルの信号に対して、位相回転演算部１１９で算出された位相回転量を与える。ｋ番目のチャネルの信号に対する位相回転量は、式（１）のように表すことができる。
【００５７】
【数１】
2012049912.tif 000003
【００５８】
式（１）において、各位相回転部１１５−１〜１１５−Ｍに入力される信号数をＮLとし、ｋ番目のチャネルの信号に対する位相回転量をΨkとし、ｎの範囲は０≦ｎ≦ＮL−１とし、ｋの範囲は０≦ｋ≦Ｍ−１とする。
【００５９】
図１２は、ｋ番目の位相回転部１１５−ｋの構成例を示す図である。パラレル化されたＮL個の各信号を入力し、各信号に対して、式（１）に示す位相回転量を与える様子を示すものである。
【００６０】
なお、位相回転量については、上記の方法に限定するものではない。位相回転部１１５−１〜１１５−Ｍでは、例えば、Ｑを整数とし、「ｘ  ｍｏｄ  ｙ」を整数ｘを整数ｙで割った時に得られる余りとした場合に、下記の式（２）のような位相回転量を与えることも可能である。
【００６１】
【数２】
2012049912.tif 000004
【００６２】
位相回転部１１５−１〜１１５−Ｍにおいて位相回転量を与えた後の信号を、周波数配置オーバサンプラ部１１６が入力する。周波数配置オーバサンプラ部１１６は、それぞれのチャネル信号を、適切な中心周波数に配置する。中心周波数は、通信システムによって定められた周波数とする。図１３は、各チャネル信号の周波数配置の例を示す図である。図１３の左側は、図１１に示す周波数配置オーバサンプラ部１１６の部分を抜き出したものである。図１３の右側に示すように、周波数配置オーバサンプラ部１１６は、入力した位相回転量が与えられた信号を、適切な中心周波数に配置する処理を行う。なお、図１３の右側に示す周波数の配置図において、横軸は周波数を示す。
【００６３】
周波数を配置した後、周波数配置オーバサンプラ部１１６は、入力信号の数をＬ倍に増やすオーバサンプリング処理を行う。例えば、周波数配置オーバサンプラ部１１６の入力信号数をＭＮLとした場合、出力信号の数はＬＭＮLとなる。オーバサンプリング手法としては、一般的に「Boaz  Porat著,”A  Course  in  Digital  Signal  Processing”  John  Wiley  and  Sons,  Inc」の文献で開示されているような、入力信号に（Ｌ−１）ＭＮL個のゼロを挿入する手法などがあるが、これに限定するものではない。
【００６４】
ＩＤＦＴ部１１７は、周波数配置オーバサンプラ部１１６においてオーバサンプリングされた信号を入力し、逆離散フーリエ変換処理を行う。ここで、入力信号数が２のべき乗の場合、ＩＦＦＴ（Inverse  Fast  Fourier  Transform）のような演算量の低い変換手法を用いてもよい。ＩＤＦＴ部１１７に入力される信号はＭチャネル分の信号なので、出力される信号はＭチャネル信号が多重された信号となる。
【００６５】
Ｐ／Ｓ部１１８は、逆離散フーリエ変換処理された信号を入力し、パラレル／シリアル変換処理を行った後、送信信号として出力する。ここで出力される送信信号が、送信信号生成部１０１からＣＰ／ＺＰ付加部１０２に出力される送信信号となる。
【００６６】
ここで、それぞれのチャネルの信号に対する位相回転が、どの様にして多重信号のピーク電力抑圧に関係するのかについて説明する。一例として、位相回転演算において、位相回転量はチャネル数によって決まる場合について説明する。一般的に、周波数領域で位相回転を信号に与えると、時間領域では、その信号に循環シフト、または循環タイミングオフセットを与えることに等しいことは、前述の「Boaz  Porat著,”A  Course  in  Digital  Signal  Processing”  John  Wiley  and  Sons,  Inc」の文献などで公知である。このとき、位相回転量をｍとし、周波数領域をｙ、Ｙで示し、時間領域をｘ、Ｘで示すと、下記の数式（３）で両者の関係を表すことができる。なお、ｎの範囲を０≦ｎ≦Ｎ−１とし、ｋの範囲を０≦ｋ≦Ｎ−１とする。
【００６７】
【数３】
2012049912.tif 000005
【００６８】
図１４は、ＤＦＴ部１１３−１への入力値と出力値の関係を示す図である。一例として、ＤＦＴ部１１３−１としたが、他のＤＦＴ部１１３−２〜１１３−Ｍについても同様である。図１４に示すように、Ｘkは、ｘnの周波数領域信号（ｘnがＤＦＴ部１１３−１に入力された場合の出力信号）である。同様に、Ｙkは、ｙnの周波数領域信号（ｙnがＤＦＴ部１１３−１に入力された場合の出力信号）である。
【００６９】
このように、各チャネルの信号に位相回転を与えることで、時間上ではタイミングオフセットが発生し、ＰＡＰＲを抑えることが可能となる。
【００７０】
例えば、Ｎ1＝Ｎ2＝…＝ＮM＝Ｎの場合、送信信号生成部１０１では、ピーク電力発生箇所をずらしてＰＡＰＲを低下させるために、各チャネルに対して異なる位相回転量を与えて、ピーク発生箇所の重なりを回避する。実施の形態１と同様、２チャネル送信の場合では、２チャネル目の信号を０．５シンボルずらすように位相回転を与えて送信すればよい。また、４チャネル送信の場合では、２チャネル目の信号を０．２５シンボルずらし、３チャネル目の信号を０．５シンボルずらし、４チャネル目の信号を０．７５シンボルずらすように位相回転を与えて送信すればよい。
【００７１】
位相回転演算部１１９は、このように、各チャネルのタイミングをずらす位相回転量を算出し、各位相回転部１１５−１〜１１５−Ｍに出力する。そして、各位相回転部１１５−１〜１１５−Ｍが、各データに対して受け取った位相回転量を与えることによって、多重後の信号のＰＡＰＲを低下させることができる。
【００７２】
なお、位相回転量は自由に決めてもよい。図１１に示す送信信号生成部１０１では、位相回転演算部１１９への入力値をチャネル数（Ｍ）としているが、これに限定するものではない。例えば、位相回転量を、送信フィルタのパラメタや、オーバサンプル数、シンボル数に適した値に基づいて設定してもよい。データ等、常に変わるパラメタではなく、通信システムによって固定されたパラメタ、または受信装置で既知の情報であればよい。
【００７３】
なお、Ｎ1＝Ｎ2＝…＝ＮM＝Ｎの場合であっても、各チャネルにおいて異なるシンボル数を用いることが可能である。例えば、シンボル数をＤ（Ｄ＜Ｎ）とすると、シンボル数Ｄを送信装置から受信装置へ送信する場合、「Ｎ−Ｄ」シンボルの擬似シンボルを挿入して送信することで、本実施の形態における処理を適用することができる。
【００７４】
以上説明したように、本実施の形態では、送信装置において、位相回転演算部１１９が、通信システムにおいて既知のパラメタに基づいて、複数のチャネルに対して異なる大きさの位相回転量を算出し、各位相回転部１１５−１〜１１５−Ｍが、各チャネルデータに対して位相回転量を与え、Ｐ／Ｓ部１１８が、位相回転量を与えられた信号を多重して送信信号を生成することとした。これにより、マルチチャネル送信の送信信号においてピーク電力発生箇所をずらすことができるため、位相回転量を挿入しない場合と比較して、送信信号のＰＡＰＲを低減することができる。
【００７５】
実施の形態５．
本実施の形態では、送信信号生成部１０１が、チャネルごとにＩＤＦＴ部を備える。実施の形態４と異なる部分について説明する。
【００７６】
図１５は、送信信号生成部１０１の構成例を示す図である。送信信号生成部１０１は、Ｓ／Ｐ部１１２−１〜１１２−Ｍと、ＤＦＴ部１１３−１〜１１３−Ｍと、送信フィルタ処理部１１４−１〜１１４−Ｍと、位相回転部１１５−１〜１１５−Ｍと、ＩＤＦＴ部１２０−１〜１２０−Ｍと、多重オーバサンプラ部１２１と、Ｐ／Ｓ部１２２と、位相回転演算部１１９と、を備える。実施の形態４（図１１参照）と比較して、ＩＤＦＴ部１１７に換えてチャネルごとにＩＤＦＴ部１２０−１〜１２０−Ｍを備え、周波数配置オーバサンプラ部１１６に換えて多重オーバサンプラ部１２１を備える点が異なる。
【００７７】
ＩＤＦＴ部１２０−１〜１２０−Ｍは、位相回転量を与えられた信号に対して逆離散フーリエ変換を行う。多重オーバサンプラ部１２１は、逆離散フーリエ変換後の信号を多重し、オーバサンプリングを行う。Ｐ／Ｓ部１２２は、オーバサンプリング後の信号をパラレル／シリアル変換する。
【００７８】
つづいて、本実施の形態における送信信号生成部１０１の動作について説明する。位相回転部１１５−１〜１１５−Ｍまでの動作については実施の形態４と同様のため省略する。ＩＤＦＴ部１２０−１〜１２０−Ｍは、位相回転部１１５−１〜１１５−Ｍにおいて位相回転量を与えられた信号に対して、チャネルごとに逆離散フーリエ変換処理を行う。実施の形態４と同様、各ＩＤＦＴ部１２０−１〜１２０−Ｍへの入力信号数が２のべき乗の場合、ＩＦＦＴのような演算量の低い変換手法を用いてもよい。各位相回転部１１５−１〜１１５−Ｍでは、実施の形態４（図１１参照）におけるＩＤＦＴ部１１７と比較して扱う周波数を少なくできるため、構成を簡易にすることができる。
【００７９】
多重オーバサンプラ部１２１は、逆離散フーリエ変換後の信号を入力し、多重処理およびオーバサンプリング処理を行う。オーバサンプリング処理については、実施の形態４と同様である。位相回転部１１５−１〜１１５−Ｍの場合と同様、多重オーバサンプラ部１２１は、実施の形態４（図１１参照）における周波数配置オーバサンプラ部１１６と比較して扱う周波数を少なくできるため、構成を簡易にすることができる。
【００８０】
Ｐ／Ｓ部１２２は、オーバサンプリングされた信号を入力し、パラレル／シリアル変換処理を行った後、送信信号として出力する。ここで出力される送信信号が、送信信号生成部１０１からＣＰ／ＺＰ付加部１０２に出力される送信信号となる。
【００８１】
実施の形態４と同様、位相回転演算部１１９は、位相回転量をチャネルの数Ｍに基づいて算出しているが、送信フィルタのパラメタや、オーバサンプル数、シンボル数に適した値に基づいて設定してもよい。通信システムによって固定されたパラメタ、または受信装置で既知の情報であればよい。
【００８２】
また、実施の形態１で説明したように、一般的に、変調方式は、ＰＳＫやＱＡＭ等が用いられる。また、誤り符号などを用いた符号化されたデータや、ＣＤＭＡのような拡散符号化されたデータを利用してもよい。また、オーバサンプリング処理は多重オーバサンプリング部１２１において行うのではなく、ＩＤＦＴ部１２０−１〜１２０−Ｍの前で行う事も可能である。この場合ＩＤＦＴ部１２０−１〜１２０−Ｍの前にＭ個のオーバサンプリング部が必要となり、多重オーバサンプリング部１２１は信号多重のみを行う。
【００８３】
以上説明したように、本実施の形態では、送信信号生成部１０１が、チャネルごとにＩＤＦＴ部１２０−１〜１２０−Ｍを備えることとした。この場合においても、実施の形態４と同等の効果を得ることができる。また、位相回転部１１５−１〜１１５−Ｍおよび多重オーバサンプラ部１２１の構成を簡易にすることができる。
【００８４】
実施の形態６．
本実施の形態では、現在の位相回転量における送信信号のＰＡＰＲ値を測定し、ＰＡＰＲ値の情報を用いて移送回転量を算出する。実施の形態４と異なる部分について説明する。
【００８５】
図１６は、送信信号生成部１０１の構成例を示す図である。送信信号生成部１０１は、Ｓ／Ｐ部１１２−１〜１１２−Ｍと、ＤＦＴ部１１３−１〜１１３−Ｍと、送信フィルタ処理部１１４−１〜１１４−Ｍと、位相回転部１１５−１〜１１５−Ｍと、周波数配置オーバサンプラ部１１６と、ＩＤＦＴ部１１７と、Ｐ／Ｓ部１１８と、ＰＡＰＲ測定制御部１２３と、位相回転演算部１２４と、を備える。
【００８６】
ＰＡＰＲ測定制御部１２３は、多重された送信信号のＰＡＰＲ値を測定し、位相回転演算部１２４へ通知する。位相回転演算部１２４は、チャネル数およびＰＡＰＲ値の情報に基づいて、各位相回転部１１５−１〜１１５−Ｍに対する位相回転量を計算し、出力する。
【００８７】
本実施の形態では、ＰＡＰＲ測定制御部１２３が、送信信号のＰＡＰＲ値を測定し、ＰＡＰＲ値を位相回転演算部１２４へ通知する。位相回転演算部１２４は、チャネル数とＰＡＰＲ値に基づいて、ＰＡＰＲ値が最小となる位相回転量を算出する。
【００８８】
ここでは、位相回転量が、データに依存する場合がある。そのため、ＰＡＰＲ測定制御部１２３は、位相回転量（Ψk：０≦ｋ≦Ｍ−１）の情報を位相回転演算部１２４から取得し、送信信号と共に、位相回転量の情報も受信装置に送信する。位相回転量の情報の送信方法について制限は無く、送信信号とは異なる別のチャネルまたはフレームを用いて送信することが可能である。
【００８９】
なお、実施の形態４の送信装置に基づいて説明したが、実施の形態５の送信装置にも適用可能である。
【００９０】
以上説明したように、本実施の形態では、位相回転演算部１２４が、さらに、現在のＰＡＰＲ値の情報を取得し、当該ＰＡＰＲ値が最小となるように各位相回転部１１５−１〜１１５−Ｍに対する位相回転量を計算することとした。これにより、ＰＡＰＲ値が高くなった場合に、即時にＰＡＰＲ値を低減させることができる。
【００９１】
実施の形態７．
本実施の形態では、実施の形態４〜６の送信装置と通信システムを構成する受信装置について説明する。
【００９２】
図１７は、受信装置の構成例を示す図である。受信装置は、ＣＰ／ＺＰ除去部２００と、ＤＦＴ部２０７と、チャネル推定等化部２０８と、周波数選択部２０９と、分離部２１０と、位相逆回転部２１１−１〜２１１−Ｍと、受信フィルタ処理部２１２−１〜２１２−Ｍと、ＩＤＦＴ部２１３−１〜２１３−Ｍと、復調部２１４−１〜２１４−Ｍと、制御部２１５と、を備える。
【００９３】
ＤＦＴ部２０７は、受信信号に対して、離散フーリエ変換処理を行う。チャネル推定等化部２０８は、受信信号に対して、チャネル推定、および等化処理を行う。周波数選択部２０９は、分離部２１０と共に、受信信号を周波数領域において分割する。位相逆回転部２１１−１〜２１１−Ｍは、制御部２１５から取得した位相回転量の情報に基づいて、位相逆回転処理を行う。受信フィルタ処理部２１２−１〜２１２−Ｍは、位相逆回転処理後の各信号に対してフィルタ処理を行う。ＩＤＦＴ部２１３−１〜２１３−Ｍは、フィルタ処理後の信号に対して逆離散フーリエ変換処理を行う。復調部２１４−１〜２１４−Ｍは、各信号を復調する。制御部２１５は、送信装置と構成するデジタル通信システムにおいて既知の情報であるチャネル数の情報に基づいて、位相回転量を算出し、位相逆回転部２１１−１〜２１１−Ｍへ出力する。
【００９４】
つづいて、受信装置の動作について説明する。まず、ＣＰ／ＺＰ除去部２００が、受信信号からＣＰやＺＰを除去し、ＤＦＴ部２０７が、離散フーリエ変換処理を行い、チャネル推定等化部２０８が、チャネル推定および等化処理を行い、干渉の除去を行う。
【００９５】
そして、周波数選択部２０９および分離部２１０によって、受信信号を、周波数領域においてそれぞれのチャネルに分割する。図１８は、周波数分割処理を示す図である。図１７に示す受信装置のうち、周波数選択部２０９および分離部２１０の部分を示すものである。送信装置では、図１３に示すような周波数配置を行っているが、受信装置では、これとは反対の処理、すなわち、チャネルごとの受信信号を得る処理を周波数選択部２０９および分離部２１０において行う。
【００９６】
つぎに、位相逆回転部２１１−１〜２１１−Ｍが、それぞれ周波数領域において、位相回転量の情報に基づいて、位相逆回転処理を行う。位相逆回転を与えなければ、復調信号の位相が乱れてしまうため、送信装置で与えた回転と反対の回転を受信装置側で与える必要がある。位相逆回転部２１１−１〜２１１−Ｍで用いる位相回転量は、制御部２１５で計算され出力される。
【００９７】
図１７において、制御部２１５は、チャネル数に基づいて、送信装置と同一の計算方法で位相回転量を算出するが、これに限定するものではなく、実施の形態４〜６で説明したように、送信装置が他の既知のパラメタ（送信フィルタのパラメタやオーバサンプル数、シンボル数等）を用いた場合には、同種のパラメタを用いて位相回転量を算出する。どのパラメタを使用するかは、通信システムであらかじめ設定する。これにより、受信装置では、通信システムに依存するパラメタを図示しないメモリに記憶して参照することにより、信号を受信するごとに、送信装置からパラメタの情報を取得する必要がない。
【００９８】
なお、実施の形態６の場合のように、送信装置が現在のＰＡＰＲ値に基づいて適宜位相回転量を変更するような場合には、その都度、送信装置から位相回転量を受信し、出力することも可能である。実際の位相回転量に基づくことで、高い精度で位相逆変換処理を行うことができる。
【００９９】
受信装置では、位相逆変換処理後、それぞれのチャネルにおいて、受信フィルタ処理部２１２−１〜２１２−Ｍが、受信フィルタ処理を行い、ＩＤＦＴ部２１３−１〜２１３−Ｍが、逆離散フーリエ変換処理を行い、復調部２１４−１〜２１４−Ｍにおいて復調し、各チャネルデータを得る。復調方式は、送信装置において用いた誤り訂正符号、拡散符号や変調方式に応じて、適切な復調方式を用いる。
【０１００】
以上説明したように、本実施の形態では、受信装置において、制御部２１５が、送信装置と同じ情報に基づいて位相回転量を算出し、位相逆回転部２１１−１〜２１１−Ｍが、受信信号から当該位相回転量を除去することとした。これにより、受信装置では、チャネルごとに挿入された異なる位相回転量を除去することができ、復調信号の位相を整えて、送信装置で生成されたデータを得ることができる。
【０１０１】
実施の形態８．
本実施の形態では、これまでに説明した送信装置を応用した中継器またはリレー局（以下、あわせて中継装置とする）について説明する。
【０１０２】
実施の形態１、２、４〜６で説明した送信装置では、自装置でデータ生成を行い、生成したデータに対して送信タイミングをずらしていたが、中継装置のように、自装置でデータ生成を行わず、受信したデータに対して送信タイミングをずらすことも可能である。この場合、中継装置は、受信信号の電力を増幅し、中継を行う役割を果たす。
【０１０３】
図１９は、中継装置の構成例を示す図である。中継装置は、同期部３００と、送信信号生成部３０１と、ＣＰ／ＺＰ付加部３０２と、ＤＡＣ部３０３と、ＲＦ部３０４と、送信アンテナ３０５と、を備える。
【０１０４】
同期部３００は、入力信号を用いて、シンボルタイミングやフレームタイミングの同期を行い、受信信号を複数のチャネルに分割する。具体的には、実施の形態３における受信装置（図１０参照）や、実施の形態７における受信装置（図１７参照）の動作を行う。
【０１０５】
送信信号生成部３０１〜送信アンテナ３０５については、それぞれ、送信信号生成部１０１〜送信アンテナ１０５と同様の処理を行う。送信信号生成部３０１については、実施の形態１、２、４〜６で説明した送信信号生成部１０１の動作を行う。
【０１０６】
なお、中継装置が、送信信号生成部１０１に示す構成と、図１０や図１７に示す受信装置を備える場合、タイミングオフセット計算部１０９（または１１１）と制御部２０６、位相回転演算部１１９（または１２４）と制御部２１５、の機能は共通する。この場合、いずれか一方の構成のみを備え、他方を削除することも可能である。例えば、タイミングオフセット計算部１０９が制御部２０６の機能も備えれば、制御部２０６を削除でき、中継装置の構成を簡易にすることができる。
【０１０７】
以上説明したように、本実施の形態では、中継装置において、受信したデータに対して、各チャネルの送信タイミングをずらす処理を行うこととした。これにより、中継装置においても、自装置が出力する信号のＰＡＰＲを低減することができる。
【０１０８】
なお、全ての実施の形態において、説明の簡易化のため、一例として、シングルアンテナ通信システム（送信にアンテナ１本を用いる通信システム）について説明したが、これに限定するものではない。例えば、「J.  Mietzner  et  al.,  ”Multipe-antenna  techniques  for  wireless  communications  −  a  comprehensive  literature  survey”,  IEEE  Commun.  Surveys  &  Tutorials,  vol  .11,  no.  2,  Second  Quarter  2009,  pp.  87-105.」の文献において取り扱われるＭＩＭＯ通信システムのようなマルチアンテナ通信システムにおいても使用することが可能である。
【０１０９】
また、これまでに説明した送信装置および受信装置を含む本通信システムは、無線通信に限定するものではなく、有線を含む通信装置に適用することが可能である。また、符号化されたデータについても適用可能である。また、送信装置および受信装置については、各実施の形態で説明した構成や、実施の形態８で説明した中継装置への応用に限定するものではなく、様々なモジュールの組み合わせに対応することが可能である。また、本通信システムでは各チャネルにおいてデータだけではなく、システム制御用信号や受信側にとって既知信号であるパイロット信号なども用いる事が可能であり、本発明を用いてＰＡＰＲを下げる事が可能である。
【０１１０】
以上のように、本発明にかかる送信装置は、マルチパス環境における通信に有用であり、特に、マルチチャネル送信を行う場合に適している。
【符号の説明】
【０１１１】
１００  マルチチャネルデータ生成部
１０１  送信信号生成部
１０２  ＣＰ／ＺＰ付加部
１０３  ＤＡＣ部
１０４  ＲＦ部
１０５  送信アンテナ
１０６−１〜１０６−Ｍ  送信フィルタ処理部
１０７−１〜１０７−Ｍ  タイミングオフセット部
１０８  多重部
１０９、１１１  タイミングオフセット計算部
１１０、１２３  ＰＡＰＲ測定制御部
１１２−１〜１１２−Ｍ  Ｓ／Ｐ部
１１３−１〜１１３−Ｍ  ＤＦＴ部
１１４−１〜１１４−Ｍ  送信フィルタ処理部
１１５−１〜１１５−Ｍ  位相回転部
１１６  周波数配置オーバサンプラ部
１１７、１２０−１〜１２０−Ｍ  ＩＤＦＴ部
１１８、１２２  Ｐ／Ｓ部
１１９、１２４  位相回転演算部
１２１  多重オーバサンプラ部
２００  ＣＰ／ＺＰ除去部
２０１、２０８  チャネル推定等化部
２０２  同期部
２０３、２１０  分離部
２０４−１〜２０４−Ｍ、２１２−１〜２１２−Ｍ  受信フィルタ処理部
２０５−１〜２０５−Ｍ、２１４−１〜２１４−Ｍ  復調部
２０６、２１５  制御部
２０７  ＤＦＴ部
２０９  周波数選択部
２１１−１〜２１１−Ｍ  位相逆回転部
２１３−１〜２１３−Ｍ  ＩＤＦＴ部
３００  同期部
３０１  送信信号生成部
３０２  ＣＰ／ＺＰ付加部
３０３  ＤＡＣ部
３０４  ＲＦ部
３０５  送信アンテナ
【図１】
2012049912.tif 000006
【図２】
2012049912.tif 000007
【図３】
2012049912.tif 000008
【図４】
2012049912.tif 000009
【図５】
2012049912.tif 000010
【図６】
2012049912.tif 000011
【図７】
2012049912.tif 000012
【図８】
2012049912.tif 000013
【図９】
2012049912.tif 000014
【図１０】
2012049912.tif 000015
【図１１】
2012049912.tif 000016
【図１２】
2012049912.tif 000017
【図１３】
2012049912.tif 000018
【図１４】
2012049912.tif 000019
【図１５】
2012049912.tif 000020
【図１６】
2012049912.tif 000021
【図１７】
2012049912.tif 000022
【図１８】
2012049912.tif 000023
【図１９】
2012049912.tif 000024
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づく既知の値に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、
を備えることを特徴とする送信装置。
【請求項２】
前記タイミングオフセット計算手段は、チャネル数をＭ、１シンボル時間をＴｓとすると、前記異なるタイミングオフセット値の間隔をＴｓ／Ｍとする、
ことを特徴とする請求項１に記載の送信装置。
【請求項３】
前記タイミングオフセット計算手段は、各データに含まれるシンボル数に基づいて、タイミングオフセット値を算出する、
ことを特徴とする請求項１に記載の送信装置。
【請求項４】
さらに、
各タイミングオフセット手段に入力前のデータに対してフィルタ処理を行う送信フィルタ手段、をＭ個備え、
前記タイミングオフセット計算手段は、前記送信フィルタ手段におけるフィルタのパラメタに基づいて、タイミングオフセット値を算出する、
ことを特徴とする請求項１に記載の送信装置。
【請求項５】
さらに、
前記多重手段から出力された多重信号のＰＡＰＲ値（ピーク対平均電力比）を測定し、当該ＰＡＰＲ値を前記タイミングオフセット計算手段へ出力するＰＡＰＲ測定手段、
を備え、
前記タイミングオフセット計算手段は、さらに、ＰＡＰＲ値を入力し、当該ＰＡＰＲ値が低下するように、各タイミングオフセット手段に対するタイミングオフセット値を算出する、
ことを特徴とする請求項１〜４のいずれか１つに記載の送信装置。
【請求項６】
前記タイミングオフセット計算手段は、算出したタイミングオフセット値を前記ＰＡＰＲ測定手段へ出力し、
前記ＰＡＰＲ測定手段は、取得したタイミングオフセット値を、前記受信装置へ出力する、
ことを特徴とする請求項５に記載の送信装置。
【請求項７】
送信装置と通信システムを構成し、前記送信装置からＭ個（Ｍは２以上の自然数）のチャネルのデータが多重された多重信号を受信する受信装置であって、
前記多重信号から、指定されたタイミングオフセット値を除去する同期手段と、
前記タイミングオフセット値が除去された多重信号を、チャネルごとのＭ個のデータに分離する分離手段と、
前記通信システムにおいて、チャネル数に基づく既知の値に基づいて、前記タイミングオフセット値を算出し、前記同期手段へ出力する制御手段と、
を備えることを特徴とする受信装置。
【請求項８】
前記制御手段は、チャネル数をＭ、１シンボル時間をＴｓとすると、異なるタイミングオフセット値の間隔をＴｓ／Ｍとする、
ことを特徴とする請求項７に記載の受信装置。
【請求項９】
前記制御手段は、各データに含まれるシンボル数に基づいて、タイミングオフセット値を算出する、
ことを特徴とする請求項７に記載の受信装置。
【請求項１０】
前記送信装置が送信フィルタ手段を備える場合に、
前記制御手段は、前記送信フィルタ手段におけるフィルタのパラメタに基づいて、タイミングオフセット値を算出する、
ことを特徴とする請求項７に記載の受信装置。
【請求項１１】
前記制御手段は、前記送信装置から取得したタイミングオフセット値を、前記同期手段へ出力する、
ことを特徴とする請求項７に記載の受信装置。
【請求項１２】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づく既知の値に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１３】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
それぞれが異なる位相回転手段からデータを入力し、入力したデータに対して逆フーリエ変換処理を行うＭ個の逆フーリエ変換手段と、
逆フーリエ変換後のＭ個のデータを多重し、多重信号を出力する多重手段と、
前記多重信号をパラレルデータからシリアルデータに変換するシリアル変換手段と、
前記通信システムにおいて、チャネル数に基づく既知の値に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１４】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１２または１３に記載の送信装置。
【請求項１５】
前記位相回転演算手段は、各データに含まれるシンボル数に基づいて、位相回転量を算出する、
ことを特徴とする請求項１２または１３に記載の送信装置。
【請求項１６】
さらに、
各フーリエ変換手段の後段に、各位相回転手段へ入力前のデータに対してフィルタ処理を行う送信フィルタ手段、をＭ個備え、
前記Ｍ個の位相回転手段は、それぞれが異なる送信フィルタ手段からデータを入力する場合に、
前記位相回転演算手段は、前記送信フィルタ手段におけるフィルタのパラメタに基づいて、位相回転量を算出する、
ことを特徴とする請求項１２または１３に記載の送信装置。
【請求項１７】
さらに、
前記シリアル変換手段から出力された多重信号のＰＡＰＲ値（ピーク対平均電力比）を測定し、当該ＰＡＰＲ値を前記位相回転演算手段へ出力するＰＡＰＲ測定手段、
を備え、
前記位相回転演算手段は、さらに、ＰＡＰＲ値を入力し、当該ＰＡＰＲ値が低下するように、各位相回転手段に対する位相回転量を算出する、
ことを特徴とする請求項１２または１３に記載の送信装置。
【請求項１８】
前記位相回転演算手段は、算出した位相回転量を前記ＰＡＰＲ測定手段へ出力し、
前記ＰＡＰＲ測定手段は、取得した位相回転量を、前記受信装置へ出力する、
ことを特徴とする請求項１７に記載の送信装置。
【請求項１９】
送信装置と通信システムを構成し、前記送信装置からＭ個（Ｍは２以上の自然数）のチャネルのデータが多重された多重信号を受信する受信装置であって、
前記多重信号をチャネルごとのＭ個のデータに分離する分離手段と、
それぞれが異なる分離後のデータを入力し、指定された位相回転量を除去するＭ個の位相逆回転手段と、
前記通信システムにおいて、チャネル数に基づく既知の値に基づいて、前記位相回転量を算出し、それぞれの位相逆回転手段に対して、算出した位相回転量を出力する制御手段と、
を備えることを特徴とする受信装置。
【請求項２０】
前記制御手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１９に記載の受信装置。
【請求項２１】
前記制御手段は、各データに含まれるシンボル数に基づいて、位相回転量を算出する、
ことを特徴とする請求項１９に記載の受信装置。
【請求項２２】
前記送信装置が送信フィルタ手段を備える場合に、
前記制御手段は、前記送信フィルタ手段におけるフィルタのパラメタに基づいて、位相回転量を算出する、
ことを特徴とする請求項１９に記載の受信装置。
【請求項２３】
前記制御手段は、前記送信装置から取得した位相回転量を、それぞれの位相逆回転手段に対して出力する、
ことを特徴とする請求項１９に記載の受信装置。
【請求項２４】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号から、チャネル数に基づくタイミングオフセット値を除去する同期手段と、
前記タイミングオフセット値が除去された多重信号を、チャネルごとのＭ個のデータに分離する分離手段と、
それぞれが異なる分離後のデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づく既知の値に基づいて、前記Ｍ個のタイミングオフセット手段ごとに異なるタイミングオフセット値を算出し、それぞれのタイミングオフセット手段に対して算出したタイミングオフセット値を出力し、さらに、前記同期手段に対して前記タイミングオフセット値を出力するタイミングオフセット計算手段と、
を備えることを特徴とする中継装置。
【請求項２５】
前記タイミングオフセット計算手段は、チャネル数をＭ、１シンボル時間をＴｓとすると、前記異なるタイミングオフセット値の間隔をＴｓ／Ｍとする、
ことを特徴とする請求項２４に記載の中継装置。
【請求項２６】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号をチャネルごとのＭ個のデータに分離する分離手段と、
それぞれが異なる分離後のデータを入力し、チャネル数に基づく位相回転量を除去するＭ個の位相逆回転手段と、
それぞれが異なる位相逆回転手段からデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対してチャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づく既知の値に基づいて、前記Ｍ個の位相回転手段ごとに異なる位相回転量を算出し、それぞれの位相回転手段に対して算出した位相回転量を出力し、さらに、それぞれの位相逆回転手段に対して算出した位相回転量を出力する位相回転演算手段と、
を備えることを特徴とする中継装置。
【請求項２７】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項２６に記載の中継装置。
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力したデータに対して指定されたタイミングオフセット値を挿入するＭ個のタイミングオフセット手段と、
タイミングオフセットされたＭ個のデータを多重し、多重信号を出力する多重手段と、  前記通信システムにおいて、チャネル数に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、
を備えることを特徴とする送信装置。
【請求項２】
前記タイミングオフセット計算手段は、チャネル数をＭ、１シンボル時間をＴｓとすると、前記異なるタイミングオフセット値の間隔をＴｓ／Ｍとする、
ことを特徴とする請求項１に記載の送信装置。
【請求項３】
前記タイミングオフセット計算手段は、各データに含まれるシンボル数に基づいて、タイミングオフセット値を算出する、
ことを特徴とする請求項１に記載の送信装置。
【請求項４】
さらに、
各タイミングオフセット手段に入力前のデータに対してフィルタ処理を行う送信フィルタ手段、をＭ個備え、
前記タイミングオフセット計算手段は、前記送信フィルタ手段におけるフィルタのパラメタに基づいて、タイミングオフセット値を算出する、
ことを特徴とする請求項１に記載の送信装置。
【請求項５】
さらに、
前記多重手段から出力された多重信号のＰＡＰＲ値（ピーク対平均電力比）を測定し、当該ＰＡＰＲ値を前記タイミングオフセット計算手段へ出力するＰＡＰＲ測定手段、
を備え、
前記タイミングオフセット計算手段は、さらに、ＰＡＰＲ値を入力し、当該ＰＡＰＲ値が低下するように、各タイミングオフセット手段に対するタイミングオフセット値を算出する、
ことを特徴とする請求項１〜４のいずれか１つに記載の送信装置。
【請求項６】
前記タイミングオフセット計算手段は、算出したタイミングオフセット値を前記ＰＡＰＲ測定手段へ出力し、
前記ＰＡＰＲ測定手段は、取得したタイミングオフセット値を、前記受信装置へ出力する、
ことを特徴とする請求項５に記載の送信装置。
【請求項７】
送信装置と通信システムを構成し、前記送信装置からＭ個（Ｍは２以上の自然数）のチャネルのデータが多重された多重信号を受信する受信装置であって、
前記多重信号から、指定されたタイミングオフセット値を除去する同期手段と、
前記タイミングオフセット値が除去された多重信号を、チャネルごとのＭ個のデータに分離する分離手段と、
前記通信システムにおいて、チャネル数に基づいて、前記タイミングオフセット値を算出し、前記同期手段へ出力する制御手段と、
を備えることを特徴とする受信装置。
【請求項８】
前記制御手段は、チャネル数をＭ、１シンボル時間をＴｓとすると、異なるタイミングオフセット値の間隔をＴｓ／Ｍとする、
ことを特徴とする請求項７に記載の受信装置。
【請求項９】
前記制御手段は、各データに含まれるシンボル数に基づいて、タイミングオフセット値を算出する、
ことを特徴とする請求項７に記載の受信装置。
【請求項１０】
前記送信装置が送信フィルタ手段を備える場合に、
前記制御手段は、前記送信フィルタ手段におけるフィルタのパラメタに基づいて、タイミングオフセット値を算出する、
ことを特徴とする請求項７に記載の受信装置。
【請求項１１】
前記制御手段は、前記送信装置から取得したタイミングオフセット値を、前記同期手段へ出力する、
ことを特徴とする請求項７に記載の受信装置。
【請求項１２】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１３】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
それぞれが異なる位相回転手段からデータを入力し、入力したデータに対して逆フーリエ変換処理を行うＭ個の逆フーリエ変換手段と、
逆フーリエ変換後のＭ個のデータを多重し、多重信号を出力する多重手段と、
前記多重信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項１４】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１２または１３に記載の送信装置。
【請求項１５】
前記位相回転演算手段は、各データに含まれるシンボル数に基づいて、位相回転量を算出する、
ことを特徴とする請求項１２または１３に記載の送信装置。
【請求項１６】
さらに、
各フーリエ変換手段の後段に、各位相回転手段へ入力前のデータに対してフィルタ処理を行う送信フィルタ手段、をＭ個備え、
前記Ｍ個の位相回転手段は、それぞれが異なる送信フィルタ手段からデータを入力する場合に、
前記位相回転演算手段は、前記送信フィルタ手段におけるフィルタのパラメタに基づいて、位相回転量を算出する、
ことを特徴とする請求項１２または１３に記載の送信装置。
【請求項１７】
さらに、
前記シリアル変換手段から出力された多重信号のＰＡＰＲ値（ピーク対平均電力比）を測定し、当該ＰＡＰＲ値を前記位相回転演算手段へ出力するＰＡＰＲ測定手段、
を備え、
前記位相回転演算手段は、さらに、ＰＡＰＲ値を入力し、当該ＰＡＰＲ値が低下するように、各位相回転手段に対する位相回転量を算出する、
ことを特徴とする請求項１２または１３に記載の送信装置。
【請求項１８】
前記位相回転演算手段は、算出した位相回転量を前記ＰＡＰＲ測定手段へ出力し、
前記ＰＡＰＲ測定手段は、取得した位相回転量を、前記受信装置へ出力する、
ことを特徴とする請求項１７に記載の送信装置。
【請求項１９】
送信装置と通信システムを構成し、前記送信装置からＭ個（Ｍは２以上の自然数）のチャネルのデータが多重された多重信号を受信する受信装置であって、
前記多重信号をチャネルごとのＭ個のデータに分離する分離手段と、
それぞれが異なる分離後のデータを入力し、指定された位相回転量を除去するＭ個の位相逆回転手段と、
前記通信システムにおいて、チャネル数に基づいて、前記位相回転量を算出し、それぞれの位相逆回転手段に対して、算出した位相回転量を出力する制御手段と、
を備えることを特徴とする受信装置。
【請求項２０】
前記制御手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１９に記載の受信装置。
【請求項２１】
前記制御手段は、各データに含まれるシンボル数に基づいて、位相回転量を算出する、  ことを特徴とする請求項１９に記載の受信装置。
【請求項２２】
前記送信装置が送信フィルタ手段を備える場合に、
前記制御手段は、前記送信フィルタ手段におけるフィルタのパラメタに基づいて、位相回転量を算出する、
ことを特徴とする請求項１９に記載の受信装置。
【請求項２３】
前記制御手段は、前記送信装置から取得した位相回転量を、それぞれの位相逆回転手段に対して出力する、
ことを特徴とする請求項１９に記載の受信装置。
【請求項２４】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号から、チャネル数に基づくタイミングオフセット値を除去する同期手段と、
前記タイミングオフセット値が除去された多重信号を、チャネルごとのＭ個のデータに分離する分離手段と、
それぞれが異なる分離後のデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づいて、前記Ｍ個のタイミングオフセット手段ごとに異なるタイミングオフセット値を算出し、それぞれのタイミングオフセット手段に対して算出したタイミングオフセット値を出力し、さらに、前記同期手段に対して前記タイミングオフセット値を出力するタイミングオフセット計算手段と、
を備えることを特徴とする中継装置。
【請求項２５】
前記タイミングオフセット計算手段は、チャネル数をＭ、１シンボル時間をＴｓとすると、前記異なるタイミングオフセット値の間隔をＴｓ／Ｍとする、
ことを特徴とする請求項２４に記載の中継装置。
【請求項２６】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号をチャネルごとのＭ個のデータに分離する分離手段と、
それぞれが異なる分離後のデータを入力し、チャネル数に基づく位相回転量を除去するＭ個の位相逆回転手段と、
それぞれが異なる位相逆回転手段からデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対してチャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して算出した位相回転量を出力し、さらに、それぞれの位相逆回転手段に対して算出した位相回転量を出力する位相回転演算手段と、
を備えることを特徴とする中継装置。
【請求項２７】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項２６に記載の中継装置。
【手続補正２】
【補正対象書類名】明細書
【補正対象項目名】００２９
【補正方法】変更
【補正の内容】
【００２９】
例えば、２チャネル送信の場合では、２チャネル目の信号を０．５シンボルずらして送信する。また、４チャネル送信の場合では、２チャネル目の信号を０．２５シンボルずらし、３チャネル目の信号を０．５シンボルずらし、４チャネル目の信号を０．７５シンボルずらす。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
受信装置とシングルキャリア送信方式の通信システムを構成し、Ｍ個（Ｍは２以上の自然数）のチャネルからのデータを多重して前記受信装置へ送信する送信装置であって、
それぞれが異なるチャネルからデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、
を備え、
前記タイミングオフセット計算手段は、チャネル数をＭ、１シンボル時間をＴｓとすると、前記異なるタイミングオフセット値の間隔をＴｓ／Ｍとする、
ことを特徴とする送信装置。
【請求項２】
送信装置とシングルキャリア送信方式の通信システムを構成し、前記送信装置からＭ個（Ｍは２以上の自然数）のチャネルのデータが多重された多重信号を受信する受信装置であって、
前記多重信号から、指定されたタイミングオフセット値を除去する同期手段と、
前記タイミングオフセット値が除去された多重信号を、チャネルごとのＭ個のデータに分離する分離手段と、
前記通信システムにおいて、チャネル数に基づいて、前記タイミングオフセット値を算出し、前記同期手段へ出力する制御手段と、
を備え、
前記制御手段は、チャネル数をＭ、１シンボル時間をＴｓとすると、異なるタイミングオフセット値の間隔をＴｓ／Ｍとする、
ことを特徴とする受信装置。
【請求項３】
前記制御手段は、前記送信装置から取得したタイミングオフセット値を、前記同期手段へ出力する、
ことを特徴とする請求項２に記載の受信装置。
【請求項４】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項５】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
それぞれが異なる位相回転手段からデータを入力し、入力したデータに対して逆フーリエ変換処理を行うＭ個の逆フーリエ変換手段と、
逆フーリエ変換後のＭ個のデータを多重し、多重信号を出力する多重手段と、
前記多重信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項６】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項４または５に記載の送信装置。
【請求項７】
送信装置と通信システムを構成し、前記送信装置からＭ個（Ｍは２以上の自然数）のチャネルのデータが多重された多重信号を受信する受信装置であって、
前記多重信号をチャネルごとのＭ個のデータに分離する分離手段と、
それぞれが異なる分離後のデータを入力し、指定された位相回転量を除去するＭ個の位相逆回転手段と、
前記通信システムにおいて、チャネル数に基づいて、前記位相回転量を算出し、それぞれの位相逆回転手段に対して、算出した位相回転量を出力する制御手段と、
を備えることを特徴とする受信装置。
【請求項８】
前記制御手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項７に記載の受信装置。
【請求項９】
前記制御手段は、前記送信装置から取得した位相回転量を、それぞれの位相逆回転手段に対して出力する、
ことを特徴とする請求項７に記載の受信装置。
【請求項１０】
送信装置からＭ個（Ｍは２以上の自然数）のチャネルのデータが多重された多重信号を送信し、受信装置が前記多重信号を受信するシングルキャリア送信方式の通信システムにおいて、前記多重信号を中継する中継装置であって、
前記多重信号から、チャネル数に基づくタイミングオフセット値を除去する同期手段と、
前記タイミングオフセット値が除去された多重信号を、チャネルごとのＭ個のデータに分離する分離手段と、
それぞれが異なる分離後のデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づいて、前記Ｍ個のタイミングオフセット手段ごとに異なるタイミングオフセット値を算出し、それぞれのタイミングオフセット手段に対して算出したタイミングオフセット値を出力し、さらに、前記同期手段に対して前記タイミングオフセット値を出力するタイミングオフセット計算手段と、
を備え、
前記タイミングオフセット計算手段は、チャネル数をＭ、１シンボル時間をＴｓとすると、前記異なるタイミングオフセット値の間隔をＴｓ／Ｍとする、
ことを特徴とする中継装置。
【請求項１１】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号をチャネルごとのＭ個のデータに分離する分離手段と、
それぞれが異なる分離後のデータを入力し、チャネル数に基づく位相回転量を除去するＭ個の位相逆回転手段と、
それぞれが異なる位相逆回転手段からデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対してチャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して算出した位相回転量を出力し、さらに、それぞれの位相逆回転手段に対して算出した位相回転量を出力する位相回転演算手段と、
を備えることを特徴とする中継装置。
【請求項１２】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１１に記載の中継装置。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
受信装置とシングルキャリア送信方式の通信システムを構成し、Ｍ個（Ｍは２以上の自然数）のチャネルからのデータを多重して前記受信装置へ送信する送信装置であって、
それぞれが異なるチャネルからデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づいて、前記Ｍ個のタイミングオフセット手段ごとに異なるタイミングオフセット値を算出し、それぞれのタイミングオフセット手段に対して、算出したタイミングオフセット値を出力するタイミングオフセット計算手段と、
を備え、
前記タイミングオフセット計算手段は、チャネル数をＭ、１シンボル時間をＴｓとすると、前記異なるタイミングオフセット値の間隔をＴｓ／Ｍとする、
ことを特徴とする送信装置。
【請求項２】
送信装置とシングルキャリア送信方式の通信システムを構成し、前記送信装置からＭ個（Ｍは２以上の自然数）のチャネルのデータが多重された多重信号を受信する受信装置であって、
前記多重信号から、指定されたタイミングオフセット値を除去する同期手段と、
前記タイミングオフセット値が除去された多重信号を、チャネルごとのＭ個のデータに分離する分離手段と、
前記通信システムにおいて、チャネル数に基づいて、前記タイミングオフセット値を算出し、前記同期手段へ出力する制御手段と、
を備え、
前記制御手段は、チャネル数をＭ、１シンボル時間をＴｓとすると、異なるタイミングオフセット値の間隔をＴｓ／Ｍとする、
ことを特徴とする受信装置。
【請求項３】
前記制御手段は、前記送信装置から取得したタイミングオフセット値を、前記同期手段へ出力する、
ことを特徴とする請求項２に記載の受信装置。
【請求項４】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項５】
受信装置と通信システムを構成し、Ｍ個（Ｍは２以上の自然数）のチャネルからのデータを多重して前記受信装置へ送信する送信装置であって、
それぞれが異なるチャネルからデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、チャネル数に基づく位相回転量を付加するＭ個の位相回転手段と、
それぞれが異なる位相回転手段からデータを入力し、入力したデータに対して逆フーリエ変換処理を行うＭ個の逆フーリエ変換手段と、
逆フーリエ変換後のＭ個のデータを多重し、多重信号を出力する多重手段と、
前記多重信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して、算出した位相回転量を出力する位相回転演算手段と、
を備えることを特徴とする送信装置。
【請求項６】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項４または５に記載の送信装置。
【請求項７】
送信装置と通信システムを構成し、前記送信装置からＭ個（Ｍは２以上の自然数）のチャネルのデータが多重された多重信号を受信する受信装置であって、
前記送信装置において、フーリエ変換手段によって変換された周波数領域のデータに対してチャネル数に基づく位相回転量が付加されている場合に、
前記多重信号をチャネルごとのＭ個のデータに分離する分離手段と、
それぞれが異なる分離後のデータを入力し、指定された位相回転量を除去するＭ個の位相逆回転手段と、
前記通信システムにおいて、チャネル数に基づいて、前記位相回転量を算出し、それぞれの位相逆回転手段に対して、算出した位相回転量を出力する制御手段と、
を備えることを特徴とする受信装置。
【請求項８】
前記制御手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項７に記載の受信装置。
【請求項９】
前記制御手段は、前記送信装置から取得した位相回転量を、それぞれの位相逆回転手段に対して出力する、
ことを特徴とする請求項７に記載の受信装置。
【請求項１０】
送信装置からＭ個（Ｍは２以上の自然数）のチャネルのデータが多重された多重信号を送信し、受信装置が前記多重信号を受信するシングルキャリア送信方式の通信システムにおいて、前記多重信号を中継する中継装置であって、
前記多重信号から、チャネル数に基づくタイミングオフセット値を除去する同期手段と、
前記タイミングオフセット値が除去された多重信号を、チャネルごとのＭ個のデータに分離する分離手段と、
それぞれが異なる分離後のデータを入力し、入力したデータに対して指定されたタイミングオフセット値を挿入するＭ個のタイミングオフセット手段と、
タイミングオフセットされたＭ個のデータを多重し、多重信号を出力する多重手段と、
前記通信システムにおいて、チャネル数に基づいて、前記Ｍ個のタイミングオフセット手段ごとに異なるタイミングオフセット値を算出し、それぞれのタイミングオフセット手段に対して算出したタイミングオフセット値を出力し、さらに、前記同期手段に対して前記タイミングオフセット値を出力するタイミングオフセット計算手段と、
を備え、
前記タイミングオフセット計算手段は、チャネル数をＭ、１シンボル時間をＴｓとすると、前記異なるタイミングオフセット値の間隔をＴｓ／Ｍとする、
ことを特徴とする中継装置。
【請求項１１】
送信装置からＭ個（Ｍは２以上の自然数）のチャネルのデータが多重された多重信号を送信し、受信装置が前記多重信号を受信する通信システムにおいて、前記多重信号を中継する中継装置であって、
前記多重信号をチャネルごとのＭ個のデータに分離する分離手段と、
それぞれが異なる分離後のデータを入力し、チャネル数に基づく位相回転量を除去するＭ個の位相逆回転手段と、
それぞれが異なる位相逆回転手段からデータを入力し、入力されたデータをシリアルデータからパラレルデータに変換するＭ個のパラレル変換手段と、
それぞれが異なるパラレル変換手段からデータを入力し、入力されたデータに対してフーリエ変換処理を行うＭ個のフーリエ変換手段と、
それぞれが異なるフーリエ変換手段からデータを入力し、入力したデータに対してチャネル数に基づく位相回転量を付加するＭ個の位相回転手段と、
位相回転量が付加されたＭ個のデータを多重し、多重信号を出力する多重手段と、
前記多重信号に対して逆フーリエ変換処理を行う逆フーリエ変換手段と、
逆フーリエ変換処理後の信号をパラレルデータからシリアルデータに変換するシリアル変換手段と、
前記通信システムにおいて、チャネル数に基づいて、前記Ｍ個の位相回転手段ごとに異なる位相回転量を算出し、それぞれの位相回転手段に対して算出した位相回転量を出力し、さらに、それぞれの位相逆回転手段に対して算出した位相回転量を出力する位相回転演算手段と、
を備えることを特徴とする中継装置。
【請求項１２】
前記位相回転演算手段は、チャネル数をＭとし、シンボル時間をＴｓとすると、時間領域において異なるタイミングオフセット値の間隔Ｔｓ／Ｍが発生するように、周波数領域において付加する位相回転量を算出する、
ことを特徴とする請求項１１に記載の中継装置。
【国際調査報告】
2012049912.tif 000025
2012049912.tif 000026
2012049912.tif 000027
2012049912.tif 000028
2012049912.tif 000029
2012049912.tif 000030
2012049912.tif 000031
2012049912.tif 000032